(57)【要約】【課題】現金処理装置で、７金種の紙幣を扱って施封処理を行う手段を提供する。【解決手段】  現金処理装置は、オペレータから施封処理の指示を受け、複数の紙幣が投入されると、投入された紙幣を鑑別部４で鑑別し、記憶部１３に格納されている運用データの「入金」で施封するよう定められた金種の紙幣を第一の施封部８または第二の施封部９に搬送して順次施封を行い、それ以外の金種の紙幣を収納庫６Ａ〜６Ｄに搬送して収納し、施封部での施封処理が終了した後、運用データの「整理施封１〜５」に従って対応する金種の紙幣を各収納庫から繰り出して順次施封を行う。【選択図】        図１
2006190125.tif 000002
【特許請求の範囲】
【請求項１】
投入された紙幣の真偽、金種、正損等の鑑別を行う鑑別部、及び鑑別した紙幣を金種別に収納する収納庫を有する紙幣入出金機と、
集積された紙幣を一定枚数毎に施封する施封部を有する施封小束支払機と、
紙幣の金種毎の新旧におよび正損の種別に応じた紙幣の施封順序が定められた運用データを格納している記憶部とを備え、
紙幣の施封処理の選択を受け付け、前記紙幣入出金機に複数の紙幣が投入されると、投入された紙幣を一枚ずつ前記鑑別部で鑑別し、鑑別した紙幣のうち、前記運用データに定められた最初に施封すべき種別の紙幣を前記施封小束支払機の施封部に搬送して順次施封を行うと共に、それ以外の種別の紙幣を前記紙幣入出金機の収納庫に搬送して収納し、前記施封部での施封処理が終了した後、前記運用データの施封順序に従って対応する種別の紙幣を前記収納庫から繰り出し、前記施封部に搬送して順次施封を行うことを特徴とする現金処理装置。
【請求項２】
請求項１に記載の現金処理装置において、
前記収納庫から繰り出した紙幣を一枚ずつ前記鑑別部で鑑別し、鑑別した紙幣のうち、前記運用データに定められた今回施封すべき種別以外の紙幣を、運用データに従って再度収納庫に収納する処理を繰返すことにより、収納庫の数より多い金種を一括で施封することを特徴とする現金処理装置。
【請求項３】
請求項１または請求項２に記載の現金処理装置において、
前記施封小束支払機に複数の施封部を設けたことを特徴とする現金処理装置。
【請求項４】
請求庫１、請求項２、または請求項３に記載の現金処理装置において、
前記現金処理装置は前記施封小束支払機の施封部での施封の処理実行中に、前記紙幣入出金機の収納庫が満杯になると、前記施封部に残っている紙幣の取り出しをオペレータに指示し、取り出しが終了すると、満杯となった前記収納庫に収納されている紙幣を前記施封部に搬送して順次施封処理を行うことを特徴とする現金処理装置。
【発明の詳細な説明】
【技術分野】
【０００１】
本発明は、金融機関等で用いられる現金処理装置に関するものであり、特に紙幣入出金機と施封小束支払機を備えた現金処理装置に関するものである。
【背景技術】
【０００２】
金融機関の店内で係員（オペレータ）が操作する従来の現金処理装置は、投入された紙幣の鑑別を行う鑑別部、及び鑑別された紙幣を収納する収納庫を有する紙幣入出金機と、紙幣の施封を行う第一の集積施封機構（第一の施封部）および第二の集積施封機構（第二の施封部）を有する施封小束支払機を備えており、この紙幣入出金機と施封小束支払機は搬送路によって接続され、紙幣入出金機に紙幣が投入されると、以下のように施封の処理を行っていた。
【０００３】
すなわち、係員により紙幣入出金機に紙幣が一括して投入されると、投入された紙幣は取込機構により一枚ずつ搬送路１２に取り込まれ、搬送路によって鑑別装置に搬送される。
鑑別装置に搬送された紙幣は、真偽、金種、前後の向き等が鑑別される。
このとき、偽券等と鑑別された紙幣は、リジェクト紙幣搬出路に導かれ排除される。
【０００４】
それ以外の真券と鑑別された紙幣は搬送路によって、順次、施封小束支払機へ搬送される。
このように施封小束支払機に搬送された紙幣は、紙幣の向きに応じて第一の集積施封機構あるいは第二の集積施封機構に導かれる。
すなわち、前記鑑別装置により第一の方向（正常な向き）と鑑別された紙幣は第一の集積施封機構へ導かれ集積室に集積される。
【０００５】
一方、前記鑑別装置により第二の方向（逆向き）であると鑑別された紙幣は第二の集積施封機構へ導かれ、集積室に集積される。
そして、第一の集積施封機構および第二の集積施封機構ともに、集積室に所定枚数、例えば１００枚の紙幣が集積されると、その集積された紙幣を施封機構に送り込み、施封して機体外に放出する。
【０００６】
このように、鑑別装置によって鑑別した装置を、第一の集積施封機構に送るか、第二の集積施封機構に送るかを予め設定した条件により識別結果に応じて決定することにより、所望の施封を行った小束を作成することが行われていた。
なお、前記条件は、紙幣の方向の他、紙幣の正損が用いられていた。すなわち、同じ金種であっても正券（真券でかつ支払に使用できるもの）と損券（真券だが汚れ・破損等により支払に使用できないもの）とが存在するが、同一金種について正損によって施封部を分けることにより、支払に使用できるものとできないものとを分別することができた（例えば、特許文献１参照。）。
【特許文献１】特開平５−６４７８号公報（第３−４頁、第１図）
【発明の開示】
【発明が解決しようとする課題】
【０００７】
上述の技術においては、通常、施封小束支払機に搬送され、施封されることとなる金種以外の金種は、鑑別結果に従って各収納庫に金種別に搬送される。
しかしながら、このような従来の装置は従前から流通している千円紙幣、二千円紙幣、五千円紙幣、万円紙幣の４金種の紙幣を取扱うことを想定しているものであり、例えば図柄の異なる千円紙幣、五千円紙幣、万円紙幣の３金種の新紙幣が発行される等して、従前の旧紙幣４金種と新紙幣の３金種が混合した、７金種の新旧紙幣を扱うことになった場合には、従来の現金処理装置では、７金種に対し、４つの収納庫しかないため新旧および新旧毎の金種に応じた施封処理を行うことができないという問題があった。
【０００８】
例えば、従来例のように４つの収納庫がある場合、従来の構成では５金種までしか扱えない。すなわち、例えば新万円紙幣については第一または第二の集積施封機構に送って施封を行う場合を考えれば、残る旧万円紙幣、新五千円紙幣、新千円紙幣、旧千円紙幣、二千円紙幣の６金種は、収納庫に収納しなければならない。しかしながら収納庫は４つであるために、割り当てできない金種が２つ発生する。
【０００９】
本発明は、このような従来技術の課題を解決するためになされたものである。
【課題を解決するための手段】
【００１０】
そのため本発明の現金処理装置は、投入された紙幣の真偽、金種、正損等の鑑別を行う鑑別部、及び鑑別した紙幣を金種別に収納する収納庫を有する紙幣入出金機と、集積された紙幣を一定枚数毎に施封する施封部を有する施封小束支払機と、紙幣の金種毎の新旧におよび正損の種別に応じた紙幣の施封順序が定められた運用データを格納している記憶部とを備え、紙幣の施封処理の選択を受け付け、前記紙幣入出金機に複数の紙幣が投入されると、投入された紙幣を一枚ずつ前記鑑別部で鑑別し、鑑別した紙幣のうち、前記運用データに定められた最初に施封すべき種別の紙幣を前記施封小束支払機の施封部に搬送して順次施封を行うと共に、それ以外の種別の紙幣を前記紙幣入出金機の収納庫に搬送して収納し、前記施封部での施封処理が終了した後、前記運用データの施封順序に従って対応する種別の紙幣を前記収納庫から繰り出し、前記施封部に搬送して順次施封を行うことを特徴とする。
【発明の効果】
【００１１】
これにより、本発明は、新旧正損紙幣が混合した複数の紙幣を扱う場合にも、従来の現金処理装置で新旧および新旧正損毎の金種に応じて、施封処理を行うことができるという効果が得られる。
【発明を実施するための最良の形態】
【００１２】
以下に、図面を参照して本発明による現金処理装置の実施例について説明する。
【実施例】
【００１３】
図１は実施例１を示す現金処理装置の要部概略断面図である。
図において、１は紙幣入出金機、２は施封小束支払機である。
まず、紙幣入出金機１において、３は紙幣出金口を兼ねる紙幣投入口であり、オペレータにより投入された複数の紙幣を一枚ずつ分離して後述する搬送路に送り出す。
なお、紙幣投入口には一度に１０００枚程度の金種が混在した紙幣を投入できるようになっている。
【００１４】
４は鑑別部であり、紙幣投入口３から投入された紙幣の真偽、金種、正損等の鑑別、および真券紙幣の計数等を行う部位である。
５はリジェクト口であり、鑑別部４で偽券と鑑別された紙幣を集積してオペレータに返却する。
６は鑑別部４により真券と判別された紙幣を金種別に収納する紙幣収納庫であり、この４つの収納庫６Ａ、収納庫６Ｂ、収納庫６Ｃ、収納庫６Ｄは、旧紙幣の万円、千円、五千円、二千円を収容するために従来より備えられているものである。
【００１５】
７は各収納庫６Ａ〜６Ｄに対応するように、そのそれぞれの上部に配置された一時保留部であり、収納庫６Ａの上部には一時保留部７Ａ、収納庫６Ｂの上部には一時保留部７Ｂ、収納庫６Ｃの上部には一時保留部７Ｃ、収納庫６Ｄの上部には一時保留部７Ｄが備えられている。
この一時保留部７Ａ〜７Ｄは底部が開閉可能になっており、一定枚数（例えば３００枚）の紙幣を集積すると、集積した紙幣を収納庫６Ａ〜６Ｄに落下させて収納する機能をもつ。
【００１６】
また、収納庫６の下部には、収納庫６に格納されている紙幣を下から順に１枚ずつ繰り出す機構を備えている。また、当該繰り出し機構は繰り出した紙幣の数をカウントする機構を備えており、繰り出した紙幣の数は後述する制御部１４に通知される。
次に、施封小束支払機２において、８は第一の施封部、９は第二の施封部である。
この第一の施封部８、第二の施封部９は紙幣入出金機１から搬送された紙幣を図示しない複数の集積部に一定枚数、例えば１００枚ずつ集積し、１００枚集積した紙幣に帯を巻いて施封を行う部位である。
【００１７】
１０および１１は放出口であり、第一の施封部８、第二の施封部９にてそれぞれ施封された紙幣の小束を施封小束支払機２の外へ放出する。
１２は搬送路であり、この搬送路１２によって紙幣投入口３、鑑別部４、リジェクト口５、収納庫６Ａ〜６Ｄ、一時保留部７Ａ〜７Ｄ、第一の施封部８及び第二の施封部９、放出口１０及び放出口１１の各構成要素間で紙幣が搬送されるようになっている。
【００１８】
１３は記憶部であり、制御部１４が前記紙幣入出金機１および施封小束支払機２の動作を制御するための制御プログラム等を格納しており、また複数の金種が混合した紙幣を扱って施封の処理を行う際に必要な運用データをテーブルデータとして格納している。
また、制御部１４は、入金および施封整理１〜５の各処理ごとに、各施封部あるいは各収納庫に格納した紙幣の枚数と、各収納庫から繰り出した紙幣の枚数を記憶部１３に格納する。
【００１９】
図２は本実施例の７金種の紙幣を施封するための運用データを示す一例であり、図３は図２の運用データを用いて行う施封の処理のフローチャートである。
運用データは、図２に示す通り、入金および整理施封１〜５の各処理において、どの施封部あるいは収納庫に、各金種の正券または損券を収納するかのデータが格納されている。
【００２０】
なお、以下の説明において７金種とは、従前から流通している千円紙幣、二千円紙幣、五千円紙幣、万円紙幣の４金種に、図柄の異なる千円紙幣、五千円紙幣、万円紙幣の３金種の新紙幣とを合せたものを指すものとする。さらにそれぞれの金種には、正損の２種類が存在する。
ここで、図２に示す運用データは施封する紙幣の順序を定めたもので、この例では施封順序として、「入金」、「整理施封１〜５」の６段階に分け、各段階毎に第一の施封部８および第二の施封部９で施封する紙幣の金種と各収納庫に収納した紙幣の金種、正損の区別を設定したものとしている。
【００２１】
この処理区分に従って、まず、「入金」の処理を行い、それが終了するとその次の処理区分「整理施封１」の処理に入り、その処理が終了すると、さらに次の処理区分「整理施封２」と順次繰り返し、最後の処理区分「整理施封５」の処理を終了すると、紙幣投入口３へ投入される７金種の紙幣をすべて施封することができるように構成されている。
次に、上述した構成の作用について説明する。
【００２２】
なお、以下に説明する７金種の施封処理は制御部１４が、記憶部１３に格納された制御プログラムに基づき、図２に示す運用データを用いて制御するものとし、図３のフローチャートを参照してＳで示すステップに従って説明する。
オペレータは図示しない操作卓の操作により紙幣の施封の処理を選択し（Ｓ１）、紙幣投入口３に新旧万円紙幣、新旧五千円紙幣、新旧千円紙幣、二千円紙幣の七金種が混合した複数の紙幣を投入すると（Ｓ２）、制御部１４は施封の処理選択を受け付けて搬送路１２を駆動し、図２に示す運用データの処理区分に従って処理を開始する（Ｓ３）。
【００２３】
まず、制御部１４は処理区分の「入金」の処理を実行する。
紙幣投入口３に投入された紙幣は一枚ずつ分離されて搬送路１２に送り込まれ、搬送路１２に送り込まれた紙幣は鑑別部４に搬送されて、紙幣の真偽、金種、正損等の鑑別が行われる（Ｓ４）。
なおここで、旧紙幣に関しては正損を問わずすべての紙幣が回収対象となっているので、正損の区別を行わずに処理を行う。
【００２４】
鑑別の結果、金種不明と鑑別された偽券等は搬送路１２によりリジェクト口５に搬送されて集積され、オペレータに返却される。
一方、鑑別部４にて金種が鑑別され、真券かつ出金に利用できる正券と鑑別された紙幣、または真券ではあるが出金に利用できない損券と鑑別された紙幣は、処理区分の「入金」の設定に従って金種別に第一の施封部８、第二の施封部９、一時保留部７Ａ〜７Ｄへ搬送される（Ｓ５）。
【００２５】
ここで処理区分「入金」では、図２に示す通り、新万円紙幣の正券は第一の施封部８、新千円紙幣の正券は第二の施封部９、新万円紙幣の損券と旧万円紙幣は一時保留部７Ａ、新五千円紙幣の正券および損券と旧五千円紙幣は一時保留部７Ｂ、新千円紙幣の損券と旧千円紙幣は一時保留部７Ｃ、二千円紙幣の正券および損券は一時保留部７Ｄへと搬送されるよう設定されている。
【００２６】
この設定に従って、第一の施封部８へ搬送された新万円紙幣の正券は、図示しない複数の集積部に１００枚ずつ集積され、１００枚集積した紙幣の束は順次施封されて放出口１０から施封小束支払機２の外へ放出される。
また、第二の施封部９へ搬送された新千円紙幣の正券は、図示しない複数の集積部に１００枚ずつ集積され、１００枚集積した紙幣の束は順次施封されて放出口１１から施封小束支払機２の外へ放出される。
【００２７】
なお、第一の施封部８および第二の施封部９において、紙幣投入口３に投入された紙幣のうち、施封部に搬送されるよう設定されている真券のすべてが搬送された後、集積部に集積された紙幣が１００枚に満たない場合には、例えばオペレータが手動で取り出すようにする。
さらに、一時保留部７Ａ〜７Ｄにおいては、紙幣入出金口３に投入された紙幣のうち、収納庫６Ａ〜６Ｄへの搬送が設定されている真券のすべてが集積すると、それらの紙幣を収納庫６Ａ〜６Ｄに落下させ、収納する。
【００２８】
このとき、制御部１４は収納庫６Ａ〜６Ｄが満杯であるか否かを各収納庫６Ａ〜６Ｄに設けられた図示しないセンサの出力に基づいて判断する（Ｓ６）。
そして、収納庫６Ａ〜６Ｄが満杯となっていなければ、処理区分「入金」の処理が終了したか否かを判断し、終了していれば処理区分の「入金」の処理を終了する（Ｓ７）。なお、満杯であれば、後述のステップＳＡ１に移行する。
【００２９】
そして、次に処理すべき処理区分があるか否かを判断し（Ｓ８）、次に処理すべき処理区分がある場合にはステップ３に戻って次の処理を開始する。
ここでは次の処理区分である「施封整理１」の処理を開始する（Ｓ３）。
すなわち、「整理施封１」では、図２に示す通り、第一の施封部８へ新万円紙幣の損券、第二の施封部９へ新千円紙幣の損券が設定されているため、新万円紙幣の損券が収納されている収納庫６Ａと新千円紙幣の損券が収納されている収納庫６Ｃから紙幣を繰り出し、「整理施封１」で設定されている処理を実行する。
【００３０】
まず、収納庫６Ａの動作を説明すると、収納庫６Ａに収納されていた紙幣は搬送路１２に繰り出され、鑑別部４まで搬送される（Ｓ４）。
収納庫６Ａには新万円紙幣の損券と旧万円紙幣が収納されているため、鑑別部４での鑑別結果に従って、新万円紙幣の損券は第一の施封部８へ搬送され、旧万円紙幣は再び一時保留部７Ａに搬送され集積される（Ｓ５）。
【００３１】
なお、一時保留部７に格納された紙幣は、一定枚数に達すると自動的に収納庫に収納される。この動作は以下の処理でも同様である。
第一の施封部８へ搬送された紙幣は、図示しない複数の集積部に１００づつ集積され、１００枚集積されたものから順次施封されると、放出口１０から施封小束支払機２の外へ放出される。
このとき、制御部１４は収納庫６Ａから繰り出した紙幣の枚数をカウントし、前段の処理（入金）において収納庫６Ａに収納した紙幣の枚数と一致したら、今回の処理（施封整理１）において収納庫６Ａのすべての紙幣の処理を完了したと判断する。この処理は以下の各施封処理でも同様であるので、以下の記述においては省略する。
なお、ここで、前記処理区分「入金」の処理時に、ステップＳ６にて収納庫が満杯となった場合には後述するステップＳＡ１〜ＳＡ４にて満杯収納庫のすべての紙幣の施封処理を行っているので、この施封処理１および以下に説明する施封処理２〜５においては、収納庫６が満杯となることはなく、このため図３に示すステップＳ６の収納庫が満杯であるか否かの判断は省略して、次のステップＳ７へ移行するものとする。
【００３２】
そして、制御部１４は収納庫６Ａから繰り出した紙幣の施封処理を完了すると、「整理施封１」の処理が終了したか否かを判断する（Ｓ７）。
そしてここでは、収納庫６Ｃの施封の処理が残っているので、制御部１４はステップＳ４に戻って収納庫６Ｃに収納している紙幣を搬送路１２に繰り出し、鑑別部４まで搬送する（Ｓ４）。
収納庫６Ｃには新千円紙幣の損券と旧千円紙幣が収納されているため、鑑別部４での鑑別結果に従って、新千円紙幣の損券は第二の施封部９へ搬送され、旧千円紙幣は再び一時保留部７Ｃに搬送され集積される（Ｓ５）。
【００３３】
第二の施封部９へ搬送された紙幣は、図示しない複数の集積部に１００づつ集積され、１００枚集積されたものから順次施封されると、放出口１１から施封小束支払機２の外へ放出される。
そして上述したようにステップＳ６は省略して処理区分の「整理施封１」の処理が終了したか否かを判断し（Ｓ７）、処理が終了している場合には、次に実行すべき処理区分があるか否かを判断する（Ｓ８）。
【００３４】
そして、次に実行すべき処理区分がある場合にはステップＳ３に戻って、次の処理区分の処理を開始する。
ここでは、次の処理区分である「整理施封２」の処理を開始する（Ｓ３）。
すなわち、「整理施封２」では、図２に示す通り、第一の施封部８へ旧万円紙幣、第二の施封部９へ旧千円紙幣が設定されているため、旧万円紙幣が収納されている収納庫６Ａと旧千円紙幣が収納されている収納庫６Ｃから紙幣を繰り出して処理を実行する。
【００３５】
まず、収納庫６Ａから紙幣を搬送路１２へ繰り出し、鑑別部４まで搬送する（Ｓ４）。
そして、鑑別部４での鑑別結果に従って、紙幣を第一の施封部８へ搬送する（Ｓ５）。
なお、ここでは収納庫へ搬送する紙幣はないので、すべての紙幣を第一の施封部８へ搬送する。
第一の施封部８へ搬送された紙幣は、図示しない複数の集積部に１００づつ集積され、１００枚集積されたものから順次施封されると、放出口１０から施封小束支払機２の外へ放出される。
【００３６】
このようにして、すべての紙幣が収納庫６Ａから繰り出されて空となり、第一の施封部８での施封の処理が終了すると、処理区分「整理施封２」の処理が終了したか否かを判断する（Ｓ７）。
そしてここでは、収納庫６Ｃの施封の処理が残っているので、制御部１４はステップＳ４に戻り、収納庫６Ｃに収納している紙幣を搬送路１２に繰り出して鑑別部４まで搬送する（Ｓ４）。
【００３７】
そして、鑑別部４での鑑別結果に従って、紙幣を第二の施封部９へ搬送する（Ｓ５）。なお、ここでも収納庫へ搬送する紙幣はないので、すべての紙幣を第二の施封部９へ搬送する。
第二の施封部９へ搬送された紙幣は、図示しない複数の集積部に１００づつ集積され、１００枚集積されたものから順次施封されると、放出口１１から施封小束支払機２の外へ放出される。
【００３８】
このようにして、すべての紙幣が収納庫６Ｃから繰り出されて空となり、第二の施封部９での施封の処理が終了すると「整理施封２」の処理が終了したか否かを判断し（Ｓ７）、処理が終了している場合には、次に実行すべき処理区分があるか否かを判断する（Ｓ８）。
そして、次に実行すべき処理区分がある場合にはステップＳ３に戻って次の処理区分を開始する。
【００３９】
ここでは次の処理区分である「整理施封３」の処理を開始する（Ｓ３）。
すなわち、「整理施封３」では、図２に示す通り、第一の施封部８へ新五千円紙幣の正券、第二の施封部９へ新五千円紙幣の損券が設定されているため、新五千円紙幣の正券と損券が収納されている収納庫６Ｂから紙幣を繰り出して施封処理を行う。
まず、収納庫６Ｂから搬送路１２に繰り出された紙幣は、搬送路１２によって鑑別部４まで搬送され（Ｓ４）、鑑別部４での鑑別結果に従って新五千円紙幣の正券は第一の施封部８へ、新五千円紙幣の損券は第二の施封部９へ、旧五千円紙幣は一時保留部７Ｂへ搬送される（Ｓ５）。
【００４０】
第一の施封部８または第二の施封部９へ搬送された紙幣は、それぞれの施封部の図示しない複数の集積部に１００枚づつ集積され、１００枚集積されたものから順次施封されると、放出口１０または１１から施封小束支払機２の外へ放出される。
そして、「整理施封３」の処理が終了したか否かを判断し（Ｓ７）、処理が終了している場合には、次に実行すべき処理区分があるか否かを判断する（Ｓ８）。
【００４１】
ここではステップＳ３に戻って、次の処理区分である「整理施封４」の処理を開始する（Ｓ３）。
すなわち、「整理施封４」では、図２に示す通り、第一の施封部８へ旧五千円紙幣、第二の施封部９へ二千円紙幣の正券が設定されているため、旧五千円紙幣が収納されている収納庫６Ｂと、二千円紙幣の正券が収納されている収納庫６Ｄとから紙幣を繰り出して施封処理を実行する。
【００４２】
まず、収納庫６Ｂから搬送路１２に繰り出された紙幣は、鑑別部４での鑑別結果に従って（Ｓ４）、旧五千円紙幣は第一の施封部８へ搬送される（Ｓ５）。なお、ここでは収納庫へ搬送する紙幣はないので、すべての紙幣を第一の施封部８へ搬送する。
第一の施封部８へ搬送された紙幣は、図示しない複数の集積部に１００枚づつ集積され、１００枚集積されたものから順次施封されると、放出口１０から施封小束支払機２の外へ放出される。
【００４３】
このようにして、すべての紙幣が収納庫６Ｂから繰り出されて空となり、第一の施封部８での施封の処理が終了すると、「整理施封４」の処理が終了したか否かを判断する（Ｓ７）。
そしてここでは、収納庫６Ｄの施封の処理が残っているので、制御部１４はステップＳ４に戻り、収納庫６Ｄに収納している紙幣を搬送路１２に繰り出して、鑑別部４まで搬送する（Ｓ４）。
【００４４】
鑑別部４に搬送された紙幣は鑑別部４での鑑別結果に従って、二千円紙幣の正券は第二の施封部９へ、二千円紙幣の損券は一時保留部７Ｄへ搬送される（Ｓ５）。
第二の施封部９へ搬送された紙幣は、図示しない複数の集積部に１００枚づつ集積され、１００枚集積されたものから順次施封されると、放出口１１から施封小束支払機２の外へ放出される。
【００４５】
そして、「整理施封４」の処理が終了したか否かを判断し（Ｓ７）、処理が終了している場合には、次に実行すべき処理区分があるか否かを判断する（Ｓ８）。
ここでは次の処理区分である「整理施封５」があるので、ステップＳ３に戻ってこの処理を開始する（Ｓ３）。
すなわち、「整理施封５」では、図２に示す通り、第一の施封部８へ二千円紙幣の損券が設定されているため、二千円紙幣の損券が収納されている収納庫６Ｄから紙幣を繰り出して施封処理を行う。
【００４６】
まず、収納庫６Ｄから搬送路１２に繰り出された二千円紙幣の損券は、搬送路１２によって鑑別部４まで搬送され（Ｓ４）、鑑別部４での鑑別結果に従って第一の施封部８へ搬送される（Ｓ５）。なお、ここでは収納庫へ搬送する紙幣はないので、すべての紙幣を第一の施封部８へ搬送する。
搬送された紙幣は施封部の図示しない複数の集積部に１００枚づつ集積され、１００枚集積されると、順次施封されて放出口１０または１１から施封小束支払機２の外へ放出する。
【００４７】
そして、すべての紙幣が収納庫６Ｄから繰り出されて空となり、第一の施封部８での施封の処理が終了して「整理施封５」の処理が終了すると（Ｓ７）、次に実行すべき処理区分があるか否かを判断し（Ｓ８）、次に実行すべき処理区分ない場合には取引は終了となる。
このように、順次処理区分を処理していくことで、収納庫６Ａ〜６Ｄに収納されたすべての紙幣が金種別に施封されることになる。
【００４８】
また、ステップＳ６において収納庫６Ａ〜６Ｄの何れかがが満杯となったときは以下処理を行う。
図４は収納庫満杯後の処理を示すフローチャートであり、以下の説明においてはこのフローチャートを参照し、ＳＡで示すステップに従って説明する。
処理区分「入金」の施封の処理実行中に何れかの収納庫が満杯となると（Ｓ６）、制御部１４は搬送路１２の駆動を停止して処理を中断する（ＳＡ１）。
【００４９】
例えばここで、図２で示すように処理区分「入金」で旧千円紙幣と新千円紙幣の損券が搬送されるように設定されている収納庫６Ｃが満杯になったものとして説明する。
収納庫６Ｃが満杯になり、搬送路１２の駆動を停止すると、制御部１４はオペレータに対し、収納庫が満杯になったため第一の施封部８および第二の施封部９から紙幣を抜取るよう促す旨のメッセージを図示しない操作卓の表示部に表示するなどして、紙幣の抜き取りを指示する。
【００５０】
これによりオペレータは第一の施封部８と第二の施封部９から既に集積部に集積されている施封前の紙幣を取り出し（ＳＡ２）、図示しない操作卓により、満杯になった収納庫６Ｃの紙幣の施封処理を指示する。
ここでオペレータは、例えば旧千円紙幣を第一の施封部８で、新千円紙幣の損券を第二の施封部９で施封を行うよう選択する。
【００５１】
なお、収納庫満杯時に施封をする紙幣の順序を予め記憶部１３に設定しておき、ステップＳＡ２でオペレータが紙幣を施封部から取り出し、図示しない操作卓で紙幣の取り出し終了を入力することにより、制御部１４が満杯収納庫から紙幣を繰り出して各施封部で施封を行うようにしてもよい。
上記オペレータの指示により、満杯収納庫６Ｃに収納されている紙幣の施封の指示を受けた制御部１４は、指示に従って満杯の収納庫６Ｃの施封処理を実行する（ＳＡ３）。
すなわち、制御部１４は搬送路１２を駆動すると、収納庫６Ｃから紙幣を繰り出して搬送路１２により鑑別部４まで搬送し、鑑別部４での鑑別に従って旧千円紙幣を第一の施封部８へ、新千円紙幣の損券を第二の施封部９へ搬送する。
【００５２】
そして、施封部に搬送した紙幣を図示しない複数の集積部に１００枚ずつ集積し、１００枚集積したものから順次施封すると、放出口１０または１１から施封小束支払機２の外へ放出する。
このようにして満杯となった収納庫６Ｃのすべての紙幣の施封、および放出の処理を終了し（ＳＡ４）、施封部の図示しない集積部に施封前の紙幣が残っていた場合にはオペレータがその紙幣を取り出すと、図３のステップＳ３に戻って、再び処理区分の「入金」の処理を実行する。
以上説明したように、現金処理装置は施封する紙幣の順序を定めた運用データを用い、入金時は、紙幣入出金口から第一の施封部に送るべき紙幣と、第二の施封部に送るべき紙幣とそれ以外の各収納庫に送るべき紙幣とに分類して収納し、施封整理時は各収納庫から第一の施封部に送るべき紙幣と第二の施封部に送るべき紙幣とそれ以外の各収納庫に再度収納するべき紙幣とに分類して再度収納する動作を繰り返し、順次、施封を行うことにより、７金種の新旧紙幣が混合した紙幣を扱う場合であっても、従来の現金処理装置で新旧正損および新旧正損毎の金種に応じて、一括で施封処理を行うことができる。
また、現金処理装置は施封の処理中に収納庫が満杯となった場合、処理を中断して満杯収納庫の施封処理を行い、その後処理を再開することができるので、収納庫が満杯となった後も取引を続けることが可能となる。
【図面の簡単な説明】
【００５３】
【図１】実施例を示す現金処理装置の要部概略断面図
【図２】７金種の紙幣を施封するための運用データを示す一例
【図３】施封の処理のフローチャート
【図４】収納庫満杯後の処理を示すフローチャート
【符号の説明】
【００５４】
１  紙幣入出金機
２  施封小束支払機
３  紙幣投入口
４  鑑別部
５  リジェクト口
６Ａ〜６Ｄ  収納庫
７Ａ〜７Ｄ  一時保留部
８  第一の施封部
９  第二の施封部
１０  放出口
１１  放出口
１２  搬送路
１３  記憶部
１４  制御部
【図１】
2006190125.tif 000003
【図２】
2006190125.tif 000004
【図３】
2006190125.tif 000005
【図４】
2006190125.tif 000006